(57)【特許請求の範囲】
【請求項１】
レンズを保持し前記レンズの光軸方向へ移動可能な可動体と、前記可動体を前記光軸方向へ移動可能に保持する固定体と、前記可動体を前記光軸方向へ駆動するための駆動用コイルおよび駆動用磁石を有する駆動機構とを備え、
前記固定体は、導電性および磁性を有する材料で形成され前記駆動機構の外周側を覆うように配置されるカバー部材と、前記カバー部材を接地させるための端子とを備え、
前記光軸方向における前記カバー部材の一端側となる前記カバー部材の反被写体側には、前記カバー部材の反被写体側端から前記光軸方向における前記カバー部材の他端側となる前記カバー部材の被写体側に向かって切り欠かれる切欠部が形成され、
前記端子は、前記カバー部材に当接する当接部を備え、
前記切欠部と前記当接部とは、前記光軸方向に略直交する第１方向で重なるように配置されるとともに、前記当接部は、前記第１方向における前記カバー部材の内側に配置され、
前記切欠部の端面において、前記カバー部材と前記当接部とが溶接されていることを特徴とするレンズ駆動装置。
【請求項２】
前記第１方向における前記当接部の外側面には、前記第１方向における前記カバー部材の内側面に向かって突出する凸部が形成されていることを特徴とする請求項１記載のレンズ駆動装置。
【請求項３】
前記凸部は、前記光軸方向と前記第１方向とに略直交する第２方向における前記凸部の幅よりも前記光軸方向における前記凸部の長さが長い細長形状に形成されていることを特徴とする請求項２記載のレンズ駆動装置。
【請求項４】
前記固定体は、絶縁材料で形成され前記端子を保持する端子保持部材を備え、
前記端子は、前記端子保持部材に固定される被固定部を備えるとともに、前記当接部が前記被固定部よりも前記第１方向の外側へ飛び出すように、折り曲げられて形成されていることを特徴とする請求項１から３のいずれかに記載のレンズ駆動装置。
【請求項５】
前記端子は、前記当接部と前記被固定部とを繋ぐ折曲げ部を備え、
前記光軸方向と前記第１方向とに略直交する第２方向における前記折曲げ部の幅は、前記第２方向における前記当接部の幅および前記被固定部の幅よりも狭くなっていることを特徴とする請求項４記載のレンズ駆動装置。
【請求項６】
前記被固定部は、前記当接部よりも反被写体側に配置され、
前記端子保持部材には、前記端子保持部材の反被写体側から前記被固定部が差し込まれて固定される差込み溝が形成されていることを特徴とする請求項４または５記載のレンズ駆動装置。
【請求項７】
前記第１方向から見たときに、前記当接部の面積は、前記切欠部の面積よりも広くなっていることを特徴とする請求項１から６のいずれかに記載のレンズ駆動装置。
【請求項８】
前記レンズ駆動装置は、略四角柱状に形成され、
前記固定体は、前記駆動用コイルに電流を供給するための給電用端子を備え、
前記給電用端子と前記端子とは、前記レンズ駆動装置の１つの側面に沿って配置されていることを特徴とする請求項１から７のいずれかに記載のレンズ駆動装置。
【請求項９】
前記固定体は、絶縁材料で形成され前記端子を保持する端子保持部材を備え、
前記カバー部材と前記端子保持部材とは、接着で固定されていることを特徴とする請求項１から８のいずれかに記載のレンズ駆動装置。
【請求項１０】
前記カバー部材と前記端子とは、レーザ溶接されていることを特徴とする請求項１から９のいずれかに記載のレンズ駆動装置。
【発明の詳細な説明】
【技術分野】
【０００１】
本発明は、携帯電話等で使用される比較的小型のカメラに搭載されるレンズ駆動装置に関する。
【背景技術】
【０００２】
従来、携帯電話等に搭載されるカメラの撮影用レンズを駆動するレンズ駆動装置として、レンズを保持して光軸方向に移動する移動レンズ体と、板バネを介して移動レンズ体を移動可能に保持する固定体とを備えるレンズ駆動装置が知られている（たとえば、特許文献１参照）。この特許文献１に記載のレンズ駆動装置では、移動レンズ体を構成する筒状のスリーブの外周に駆動用コイルが巻回され、駆動用コイルの外周面に対向するように、駆動用磁石が配置されている。また、駆動用磁石の外周側を囲むようにバックヨークが配置されている。
【０００３】
また、このレンズ駆動装置では、光軸方向における移動レンズ体の両端側に板バネが配置されている。移動レンズ体の反被写体側に配置される板バネは、２枚のバネ片によって構成されており、一方のバネ片には、駆動用コイルの巻き始め側の端部が接続され、他方のバネ片には、駆動用コイルの巻き終わり側の端部が接続されている。また、２枚のバネ片のそれぞれには、端子が形成されており、このレンズ駆動装置では、板バネを介して、駆動用コイルへの給電が可能となっている。なお、特許文献１には、バネ片にバックヨークを接続して、バネ片を介してバックヨークを接地させても良い旨が記載されている。
【先行技術文献】
【特許文献】
【０００４】
【特許文献１】特開２００８−１２２４７０号公報
【発明の概要】
【発明が解決しようとする課題】
【０００５】
特許文献１に記載のレンズ駆動装置において、駆動用磁石の外周側を囲むように配置されるバックヨークが接地されていると、レンズ駆動装置にシールド機能を持たせることができ、レンズ駆動装置の誤動作等を防止することが可能である。一方、近年、携帯電話等に使用されるカメラの市場では、カメラの小型化の要求が一段と高まっており、そのため、カメラに搭載されるレンズ駆動装置の小型化の要求も一段と高まっている。
【０００６】
そこで、本発明の課題は、駆動機構の外周側を覆うように配置されるカバー部材を端子を介して接地させることが可能で、かつ、小型化を図ることが可能なレンズ駆動装置を提供することにある。
【課題を解決するための手段】
【０００７】
上記の課題を解決するため、本発明のレンズ駆動装置は、レンズを保持しレンズの光軸方向へ移動可能な可動体と、可動体を光軸方向へ移動可能に保持する固定体と、可動体を光軸方向へ駆動するための駆動用コイルおよび駆動用磁石を有する駆動機構とを備え、固定体は、導電性および磁性を有する材料で形成され駆動機構の外周側を覆うように配置されるカバー部材と、カバー部材を接地させるための端子とを備え、光軸方向におけるカバー部材の一端側となるカバー部材の反被写体側には、カバー部材の反被写体側端から光軸方向におけるカバー部材の他端側となるカバー部材の被写体側に向かって切り欠かれる切欠部が形成され、端子は、カバー部材に当接する当接部を備え、切欠部と当接部とは、光軸方向に略直交する第１方向で重なるように配置されるとともに、当接部は、第１方向におけるカバー部材の内側に配置され、切欠部の端面において、カバー部材と当接部とが溶接されていることを特徴とする。
【０００８】
本発明のレンズ駆動装置では、駆動機構の外周側を覆うように配置されるカバー部材と端子とが溶接されており、カバー部材と端子とが電気的に接続されている。そのため、端子を介してカバー部材を接地させることが可能になる。したがって、本発明では、レンズ駆動装置にシールド機能を持たせることが可能になり、レンズ駆動装置の誤動作等を防止することが可能になる。
【０００９】
また、本発明では、カバー部材に形成される切欠部と端子に形成される当接部とは、光軸方向に略直交する第１方向で重なるように配置されるとともに、当接部は、第１方向におけるカバー部材の内側に配置されている。また、切欠部の端面において、カバー部材と当接部とが溶接されている。そのため、カバー部材と端子との溶接時にカバー部材および／または端子が溶融して形成される溶融部をカバー部材の切欠部の中に配置することが可能になる。したがって、カバー部材と端子とを溶接しても、カバー部材の外形からの溶融部のはみ出し量を抑制することが可能になる。その結果、本発明では、レンズ駆動装置を小型化することが可能になる。
【００１０】
なお、切欠部において、カバー部材と当接部とを半田付けすることで、カバー部材と端子とを電気的に接続することも可能である。しかしながら、カバー部材と当接部とを半田付けする場合には、一般的に、カバー部材の外形からの半田のはみ出し量は、カバー部材の外形からの溶融部のはみ出し量よりも大きくなる。そのため、カバー部材と当接部とを半田付けする場合には、レンズ駆動装置を小型化することが困難になる。また、カバー部材と当接部とを半田付けする場合には、フラックス汚れが発生するため、このフラックス汚れを除去する必要が生じる。さらに、カバー部材と当接部とを半田付けする場合には、カバー部材の内部へフラックスが流れ込むおそれがあり、カバー部材の内部へ流れ込んだフラックスを除去することは困難である。これに対して、本発明では、これらの問題を解決することが可能になる。
【００１１】
本発明において、第１方向における当接部の外側面には、第１方向におけるカバー部材の内側面に向かって突出する凸部が形成されていることが好ましい。また、この場合には、凸部は、光軸方向と第１方向とに略直交する第２方向における凸部の幅よりも光軸方向における凸部の長さが長い細長形状に形成されていることが好ましい。このように構成すると、第１方向における当接部の外側面と切欠部の端面との境界部分において、第１方向におけるカバー部材の内側面と当接部の外側面とを確実に当接させることが可能になる。したがって、カバー部材と端子とを適切に溶接することが可能になり、カバー部材と端子との接合強度を高めることが可能になる。また、このように構成すると、たとえば、カバー部材と端子とをレーザ溶接する場合には、凸部に照準を合わせてレーザを照射することができるため、レーザの照射位置を定めやすくなる。
【００１２】
本発明において、固定体は、絶縁材料で形成され端子を保持する端子保持部材を備え、端子は、端子保持部材に固定される被固定部を備えるとともに、当接部が被固定部よりも第１方向の外側へ飛び出すように、折り曲げられて形成されていることが好ましい。また、この場合には、端子は、当接部と被固定部とを繋ぐ折曲げ部を備え、光軸方向と第１方向とに略直交する第２方向における折曲げ部の幅は、第２方向における当接部の幅および被固定部の幅よりも狭くなっていることが好ましい。このように構成すると、折曲げ部の弾性変形を利用して、第１方向におけるカバー部材の内側面と当接部の外側面とを確実に当接させることが可能になる。したがって、カバー部材と端子とを適切に溶接することが可能になり、カバー部材と端子との接合強度を高めることが可能になる。また、このように構成すると、折曲げ部の弾性変形を利用して、第１方向におけるカバー部材の内側に当接部を比較的容易に配置することが可能になる。したがって、レンズ駆動装置の組立時の作業性を高めることが可能になる。
【００１３】
本発明において、被固定部は、当接部よりも反被写体側に配置され、端子保持部材には、端子保持部材の反被写体側から被固定部が差し込まれて固定される差込み溝が形成されていることが好ましい。このように構成すると、被固定部よりも被写体側に配置される当接部が被固定部よりも第１方向の外側へ飛び出すように折り曲げられて形成されている場合であっても、被固定部を反被写体側に向かって通過させるための孔や溝等を端子保持部材の被写体側部分に形成する必要がなくなる。したがって、端子保持部材の内部に塵埃が入るおそれを低減することが可能になる。すなわち、固定体の内部に塵埃が入るおそれを低減することが可能になる。
【００１４】
本発明において、第１方向から見たときに、当接部の面積は、切欠部の面積よりも広くなっていることが好ましい。このように構成すると、第１方向における当接部の外側面と切欠部の端面との境界部分において、第１方向におけるカバー部材の内側面と当接部の外側面とを確実に当接させることが可能になる。したがって、カバー部材と端子とを適切に溶接することが可能になり、カバー部材と端子との接合強度を高めることが可能になる。また、このように構成すると、たとえば、カバー部材と端子とをレーザ溶接する場合には、レーザが端子以外の部分に照射されるのを防止することが可能になる。
【００１５】
本発明において、たとえば、レンズ駆動装置は、略四角柱状に形成され、固定体は、駆動用コイルに電流を供給するための給電用端子を備え、給電用端子と端子とは、レンズ駆動装置の１つの側面に沿って配置されている。この場合には、給電用端子および端子を固定するための部材に固定される前の給電用端子および端子を一部品化することが可能になる。したがって、固定される前の給電用端子および端子の取り扱いが容易になる。また、給電用端子および端子の固定作業を簡素化することが可能になる。
【００１６】
本発明において、たとえば、固定体は、絶縁材料で形成され端子を保持する端子保持部材を備え、カバー部材と端子保持部材とは、接着で固定されている。本発明では、カバー部材と端子とが溶接されているため、この場合には、端子を保持する端子保持部材とカバー部材との固定強度を高めることが可能になる。
【００１７】
本発明において、カバー部材と端子とは、レーザ溶接されていることが好ましい。このように構成すると、カバー部材と端子とを溶接する際に電極等を配置する必要がなくなる。したがって、レンズ駆動装置の組立時の最終段階であっても、カバー部材と端子とを溶接することが可能になる。その結果、レンズ駆動装置の組立工程の自由度を高めることが可能になる。
【発明の効果】
【００１８】
以上のように、本発明のレンズ駆動装置では、駆動機構の外周側を覆うように配置されるカバー部材を端子を介して接地させることが可能で、かつ、小型化を図ることが可能になる。
【図面の簡単な説明】
【００１９】
【図１】本発明の実施の形態にかかるレンズ駆動装置の斜視図である。
【図２】図１のＥ−Ｅ断面の断面図である。
【図３】図１に示すレンズ駆動装置の分解斜視図である。
【図４】図３に示す板バネ、ベース部材、接地用端子および給電用端子の組立状態を示す斜視図である。
【図５】図１のＦ部の拡大図である。
【図６】図５のＧ−Ｇ断面の断面図である。
【図７】図３に示すベース部材、接地用端子および給電用端子を反被写体側から示す斜視図である。
【図８】図３に示すベース部材に固定される前の接地用端子および給電用端子の状態を説明するための図である。
【図９】図３に示すカバー部材の製造方法を説明するための図である。
【図１０】図３に示すカバー部材の製造方法を説明するための図である。
【発明を実施するための形態】
【００２０】
以下、図面を参照しながら、本発明の実施の形態を説明する。
【００２１】
（レンズ駆動装置の概略構成）
図１は、本発明の実施の形態にかかるレンズ駆動装置１の斜視図である。図２は、図１のＥ−Ｅ断面の断面図である。図３は、図１に示すレンズ駆動装置１の分解斜視図である。図４は、図３に示す板バネ６、７、ベース部材１１、接地用端子２１および給電用端子２２、２３の組立状態を示す斜視図である。
【００２２】
以下の説明では、図１等に示すように、互いに直交する３方向のそれぞれをＸ方向、Ｙ方向およびＺ方向とする。また、図１等のＸ１方向側を「右」側、Ｘ２方向側を「左」側、Ｙ１方向側を「前」側、Ｙ２方向側を「後（後ろ）」側、Ｚ１方向側を「上」側、Ｚ２方向側を「下」側とする。また、Ｘ方向とＹ方向とから形成される平面を「ＸＹ平面」、Ｚ方向とＸ方向とから形成される平面を「ＺＸ平面」とする。
【００２３】
本形態のレンズ駆動装置１は、携帯電話、ドライブレコーダあるいは監視カメラシステム等で使用される比較的小型のカメラに搭載されるものであり、図１に示すように、全体として略四角柱状に形成されている。具体的には、レンズ駆動装置１は、撮影用のレンズの光軸Ｌの方向（光軸方向）から見たときの形状が略正方形状となるように形成されている。また、レンズ駆動装置１の４つの側面は、左右方向または前後方向と略平行になっている。
【００２４】
なお、本形態では、Ｚ方向（上下方向）が光軸方向と一致している。また、本形態では、Ｙ方向（前後方向）は、光軸方向に略直交する第１方向であり、Ｘ方向（左右方向）は、光軸方向と第１方向とに略直交する第２方向である。また、本形態のレンズ駆動装置１が搭載されるカメラでは、下側に図示を省略する撮像素子が配置されており、上側に配置される被写体が撮影される。すなわち、本形態では、上側（Ｚ１方向側）は被写体側（物体側）であり、下側（Ｚ２方向側）は反被写体側（撮像素子側、像側）である。
【００２５】
レンズ駆動装置１は、図１〜図３に示すように、撮影用のレンズを保持し光軸方向へ移動可能な可動体２と、可動体２を光軸方向へ移動可能に保持する固定体３と、可動体２を光軸方向へ駆動するための駆動機構４とを備えている。可動体２は、板バネ５〜７を介して固定体３に移動可能に保持されている。本形態では、１個の板バネ５が可動体２の上端側に配置され、２個の板バネ６、７が可動体２の下端側に配置されている。
【００２６】
可動体２は、複数のレンズが固定されたレンズホルダ８を保持するスリーブ９を備えている。固定体３は、レンズ駆動装置１の側面を構成するカバー部材１０と、レンズ駆動装置１の反被写体側の端面を構成するベース部材１１と、板バネ５の一部が固定されるスペーサ１２と、カバー部材１０を接地させるための端子としての接地用端子２１と、駆動機構４を構成する後述の駆動用コイル１５に電流を供給するための２個の給電用端子２２、２３とを備えている。なお、図３では、レンズホルダ８の図示を省略している。
【００２７】
レンズホルダ８は、略円筒状に形成されている。このレンズホルダ８の内周側には、複数のレンズが固定されている。
【００２８】
スリーブ９は、たとえば、樹脂材料で形成されるとともに、略筒状に形成されている。具体的には、スリーブ９は、上下方向から見たときの内周面の形状が略円形状となり、上下方向から見たときの外周面の形状が略正方形状となる略筒状に形成されている。このスリーブ９は、その内周側でレンズホルダ８を保持している。すなわち、スリーブ９の内周面にレンズホルダ８の外周面が固定されている。
【００２９】
スリーブ９の下端には、ベース部材１１に形成される後述の基準面１１ｂに当接する当接する当接面９ａがＸＹ平面と略平行に形成されている。具体的には、前後方向および左右方向におけるスリーブ９の下端の略中心位置に、かつ、略９０°ピッチで、４個の当接面９ａが形成されている。
【００３０】
カバー部材１０は、導電性および磁性を有する材料で形成されている。たとえば、カバー部材１０は、導電性および磁性を有する金属材料で形成されている。また、カバー部材１０は、底部１０ａと筒部１０ｂとを有する底付きの略四角筒状に形成されている。
【００３１】
上側に配置される底部１０ａには、貫通孔１０ｃが形成されている。筒部１０ｂを構成する左右両側面には、左右方向の外側に向かって広がる拡幅部１０ｄが形成されている。具体的には、前後方向における左右両側面の略中心位置に拡幅部１０ｄが形成されている。カバー部材１０は、可動体２および駆動機構４の外周側を囲むように配置されている。カバー部材１０のより具体的な構成については後述する。
【００３２】
ベース部材１１は、絶縁性を有する材料で形成されている。たとえば、ベース部材１１は、樹脂材料で形成されている。また、ベース部材１１は、略正方形の扁平なブロック状に形成されている。
【００３３】
図３、図４に示すように、ベース部材１１の中心には、略矩形状の貫通孔１１ａが形成されている。ベース部材１１の上面には、光軸方向における可動体２の基準位置を決めるための基準面１１ｂがＸＹ平面と略平行に形成されている。具体的には、前後方向および左右方向におけるベース部材１１の上面の略中心位置に、かつ、略９０°ピッチで、４個の基準面１１ｂが形成されている。また、ベース部材１１の上面の四隅には、板バネ６、７の一部を固定するためのバネ固定部１１ｃが形成されている。ベース部材１１は、カバー部材１０の下端側に取り付けられている。ベース部材１１のより具体的な構成については後述する。
【００３４】
スペーサ１２は、たとえば、樹脂材料で形成されるとともに、略正方形の扁平なブロック状に形成されている。このスペーサ１２は、カバー部材１０の底部１０ａの下面に固定されている。スペーサ１２の四隅の下面には、板バネ５の一部を固定するためのバネ固定部１２ａが形成されている。
【００３５】
板バネ５は、スリーブ９の上端側に固定される円環状の可動体固定部５ａと、スペーサ１２のバネ固定部１２ａに固定される４個の固定体固定部５ｂと、可動体固定部５ａと固定体固定部５ｂとを繋ぐ４本の腕部５ｃとを備えている（図３参照）。この板バネ５は、その厚さ方向と上下方向とが略一致するように、スリーブ９およびスペーサ１２に固定されている。また、板バネ５は、後述の駆動用コイル１５に電流が供給されていないときに、スリーブ９の当接面９ａとベース部材１１の基準面１１ｂとが当接して可動体２が所定の基準位置に配置されるように、撓んだ状態で、スリーブ９およびスペーサ１２に固定されている。
【００３６】
板バネ６は、スリーブ９の下端側に固定される可動体固定部６ａと、ベース部材１１のバネ固定部１１ｃに固定される２個の固定体固定部６ｂ、６ｃと、可動体固定部６ａと固定体固定部６ｂ、６ｃとを繋ぐ腕部６ｄとを備えている（図４参照）。同様に、板バネ７は、スリーブ９の下端側に固定される可動体固定部７ａと、ベース部材１１のバネ固定部１１ｃに固定される２個の固定体固定部７ｂ、７ｃと、可動体固定部７ａと固定体固定部７ｂ、７ｃとを繋ぐ腕部７ｄとを備えている（図４参照）。
【００３７】
板バネ６、７は、その厚さ方向と上下方向とが略一致するように、スリーブ９およびベース部材１１に固定されている。また、板バネ６、７は、スリーブ９の当接面９ａとベース部材１１の基準面１１ｂとが当接しているときに板バネ６、７による付勢力が生じないように、スリーブ９およびベース部材１１に固定されている。
【００３８】
駆動機構４は、スリーブ９の外周側に巻回される２個の駆動用コイル１５と、レンズ駆動装置１の４つの側面のそれぞれに配置される駆動用磁石１６、１７とを備えている。
【００３９】
２個の駆動用コイル１５は、光軸方向に所定の間隔をあけた状態で、スリーブ９の外周面に巻回されている。すなわち、駆動用コイル１５は、略正方形状に巻回されている。２個の駆動用コイル１５は、たとえば、１本の導線が順次、巻回されることで形成されている。また、たとえば、駆動用コイル１５の巻き始め側の端部は、板バネ６の可動体固定部６ａに半田付け等されて電気的に接続され、駆動用コイル１５の巻き終わり側の端部は、板バネ７の可動体固定部７ａに半田付け等されて電気的に接続されている。
【００４０】
駆動用磁石１６、１７は、略矩形の板状に形成されている。この駆動用磁石１６、１７は、駆動用コイル１５の外周面に対向するようにカバー部材１０の筒部１０ｂの内側面に固定されている。具体的には、駆動用磁石１６は、筒部１０ｂを構成する前後両側面の内側に接着剤等を介して固定され、駆動用磁石１７は、筒部１０ｂの拡幅部１０ｄの内側に接着剤等を介して固定されている。本形態のカバー部材１０は、磁気回路を形成するためのヨークの機能を果たしている。なお、本形態では、図３に示すように、駆動用磁石１６の左右方向の幅は、駆動用磁石１７の前後方向の幅よりも広くなっている。
【００４１】
駆動用磁石１６、１７の駆動用コイル１５との対向面は、２極に着磁されている。具体的には、上下方向で異なる磁極が重なるように、駆動用磁石１６、１７の駆動用コイル１５との対向面が着磁されている。なお、本形態では、上側に配置される磁極の上下方向の幅が下側に配置される磁極の上下方向の幅よりも狭くなるように、駆動用磁石１６、１７の駆動用コイル１５との対向面が着磁されている。
【００４２】
スリーブ９の上端側には、略円環状に形成された磁性部材１８が固定されている。具体的には、磁性部材１８は、駆動用磁石１６、１７の上端面よりも上側に配置されるように、スリーブ９に固定されている。そのため、磁性部材１８と駆動用磁石１６、１７との間には、可動体２を下方向へ付勢する付勢力が作用している。すなわち、磁性部材１８と駆動用磁石１６、１７との間には、スリーブ９の当接面９ａとベース部材１１の基準面１１ｂとを当接させる方向の付勢力が作用している。
【００４３】
（接地用端子、給電用端子およびその周辺部分の構成）
図５は、図１のＦ部の拡大図である。図６は、図５のＧ−Ｇ断面の断面図である。図７は、図３に示すベース部材１１、接地用端子２１および給電用端子２２、２３を反被写体側から示す斜視図である。図８は、図３に示すベース部材１１に固定される前の接地用端子２１および給電用端子２２、２３の状態を説明するための図である。図９、図１０は、図３に示すカバー部材１０の製造方法を説明するための図である。なお、図１０（Ｂ）は、図１０（Ａ）のＨ部の拡大図である。
【００４４】
接地用端子２１は、導電性を有する金属材料で形成されている。たとえば、接地用端子２１は、リン青銅で形成されている。また、接地用端子２１は、平板状の金属材料が折り曲げられて形成されている。図７に示すように、接地用端子２１は、カバー部材１０の筒部１０ｂの内側面に当接する当接部２１ａと、ベース部材１１に固定される被固定部２１ｂと、当接部２１ａと被固定部２１ｂとを繋ぐ折曲げ部２１ｃとを備えている。
【００４５】
接地用端子２１は、当接部２１ａと被固定部２１ｂとが略平行になり、当接部２１ａおよび被固定部２１ｂと折曲げ部２１ｃとが略直交するように形成されている。本形態では、当接部２１ａおよび被固定部２１ｂがＺＸ平面と略平行になり、折曲げ部２１ｃがＸＹ平面と略平行になるように、接地用端子２１がベース部材１１に固定されている。また、当接部２１ａが上側に配置され、被固定部２１ｂが下側に配置されるように、接地用端子２１がベース部材１１に固定されている。さらに、当接部２１ａが前側に配置され、被固定部２１ｂが後ろ側に配置されるように、接地用端子２１がベース部材１１に固定されている。すなわち、当接部２１ａが被固定部２１ｂよりも前側に飛び出すように、接地用端子２１がベース部材１１に固定されている。
【００４６】
当接部２１ａの前側面には、前側に向かってわずかに突出する凸部２１ｄが形成されている。凸部２１ｄは、たとえば、当接部２１ａにエンボス加工を行うことで形成されている。この凸部２１ｄは、図７に示すように、左右方向の幅よりも上下方向の長さが長い細長形状に形成されている。また、凸部２１ｄは、ベース部材１１に形成される後述の第１配置部１１ｈに当接部２１ａが配置されたときに、ベース部材１１の前端側に形成される後述の突出部１１ｄの前端面よりも前側に突出するように形成されている。
【００４７】
被固定部２１ｂの下端側には、レンズ駆動装置１が搭載されるカメラ内に配置されるソケットの接地用の雌端子に差し込まれる差込み部２１ｅが下側に向かって突出するように形成されている。また、本形態では、図７に示すように、左右方向における折曲げ部２１ｃの幅は、左右方向における当接部２１ａの幅および被固定部２１ｂの幅よりも狭くなっている。そのため、折曲げ部２１ｃは、当接部２１ａおよび被固定部２１ｂよりも撓みやすい。
【００４８】
給電用端子２２、２３は、導電性を有する金属材料で形成されている。たとえば、給電用端子２２、２３は、リン青銅で形成されている。また、給電用端子２２、２３は、平板状に形成されている。図７に示すように、給電用端子２２は、板バネ６の固定体固定部６ｃが半田付けされて接続されるバネ接続部２２ａと、ベース部材１１に固定される被固定部２２ｂとを備えている。同様に、給電用端子２３は、板バネ７の固定体固定部７ｃが半田付けされて接続されるバネ接続部２３ａと、ベース部材１１に固定される被固定部２３ｂとを備えている。
【００４９】
本形態では、ＺＸ平面と略平行になるように、給電用端子２２、２３がベース部材１１に固定されている。また、バネ接続部２２ａ、２３ａが上側に配置され、被固定部２２ｂ、２３ｂが下側に配置されるように、給電用端子２２、２３がベース部材１１に固定されている。被固定部２２ｂ、２３ｂの下端側には、レンズ駆動装置１が搭載されるカメラ内に配置されるソケットの雌端子に差し込まれる差込み部２２ｅ、２３ｅが下側に向かって突出するように形成されている。
【００５０】
図８に示すように、ベース部材１１に固定される前の接地用端子２１および給電用端子２２、２３は、接続板３１と繋がっている。具体的には、被固定部２１ｂ、２２ｂ、２３ｂの下端側と接続板３１とが繋がっている。すなわち、ベース部材１１に固定される前の接地用端子２１および給電用端子２２、２３は、接続板３１によって一部品化されている。接続板３１は、たとえば、矩形状に形成されるとともに、接続板３１の中心には、所定の治具等を用いて接続板３１を保持するための保持孔３１ａが形成されている。
【００５１】
上述のように、カバー部材１０は、導電性および磁性を有する金属材料で形成されている。本形態では、カバー部材１０は、金属製の板状部材５０（図９（Ａ）参照）をプレス加工することで形成されている。すなわち、図９（Ａ）に示す平板状の板状部材５０に図９（Ｂ）に示すような絞り加工を行って、最終的にカバー部材１０となる絞り加工部５１を形成した後に、図１０の破線で示す切断面５２で板状部材５０から絞り加工部５１を切り離す抜き加工等を行うことで、カバー部材１０が形成されている。そのため、カバー部材１０の筒部１０ｂの下端部の外側面には、図５、図６等に示すように、板状部材５０から切り離す際に形成された切断面１０ｅが形成されている。また、筒部１０ｂの下端部の内側は、図６等に示すように、前後方向または左右方向の外側に広がる曲面状になっている。
【００５２】
カバー部材１０の前側面の下端側には、カバー部材１０の下端から上側に向かって切り欠かれる切欠部１０ｆが形成されている。具体的には、切欠部１０ｆは、前後方向から見たときの形状が略半円形状となるように形成されている。また、切欠部１０ｆは、その上端が切断面１０ｅよりも上側に配置されるように形成されている。
【００５３】
ベース部材１１には、上側に向かって突出する略板状の突出部１１ｄがベース部材１１の外周端側に沿うように形成されている。具体的には、前後方向および左右方向におけるベース部材１１の外周端側の略中心位置の４箇所に突出部１１ｄが形成されている。
【００５４】
また、ベース部材１１の前端側には、接地用端子２１を配置するための端子配置凹部１１ｅと、給電用端子２２を配置するための端子配置凹部１１ｆと、給電用端子２３を配置するための端子配置凹部１１ｇとが形成されている。すなわち、本形態では、図１に示すように、レンズ駆動装置１の前側面に沿って、接地用端子２１および給電用端子２２、２３が配置されている。端子配置凹部１１ｆは、ベース部材１１の前左端側に形成され、端子配置凹部１１ｇは、ベース部材１１の前右端側に形成されている。また、端子配置凹部１１ｅは、端子配置凹部１１ｆに隣接するように、端子配置凹部１１ｆの右側に形成されている。
【００５５】
端子配置凹部１１ｅは、図７に示すように、当接部２１ａが配置される第１配置部１１ｈと、被固定部２１ｂが配置される第２配置部１１ｊとから構成されている。第１配置部１１ｈは、ベース部材１１の前端面の上端側の一部が後ろ側にわずかに窪むことで形成されており、ベース部材１１の前端側に形成される突出部１１ｄの前端面の一部も、第１配置部１１ｈを構成している。第２配置部１１ｊは、第１配置部１１ｈの下側に形成されるとともに、第１配置部１１ｈよりもさらに後ろ側に窪むように形成されている。第２配置部１１ｊの左右の側面には、被固定部２１ｂの左右の両端側が差し込まれて固定される差込み溝１１ｋが左右方向の外側に向かって窪むように形成されている。また、第２配置部１１ｊの下端は、被固定部２１ｂの左右両端側を下側から差込み溝１１ｋに差し込むことができるように開放されている。
【００５６】
端子配置凹部１１ｆは、図７に示すように、バネ接続部２２ａの一部が配置される配置孔１１ｍと、被固定部２２ｂが配置される配置部１１ｎとから構成されている。配置部１１ｎは、第２配置部１１ｊと同様に、前後方向において、端子配置凹部１１ｅの第１配置部１１ｈよりもさらに後ろ側に窪むように形成されている。配置部１１ｎの左右の側面には、被固定部２２ｂの左右の両端側が差し込まれて固定される差込み溝１１ｐが左右方向の外側に向かって窪むように形成されている。また、配置部１１ｎの下端は、被固定部２２ｂの左右両端側を下側から差込み溝１１ｐに差し込むことができるように開放されている。配置孔１１ｍは、上下方向でベース部材１１を貫通するように形成されている。また、配置孔１１ｍは、配置部１１ｎの上側面に繋がるように形成されている。
【００５７】
端子配置凹部１１ｇは、端子配置凹部１１ｆと同様に、バネ接続部２３ａの一部が配置される配置孔１１ｑと、被固定部２３ｂが配置される配置部１１ｒとから構成されている。配置部１１ｒは、配置部１１ｎと同様に形成されている。配置部１１ｒの左右の側面には、被固定部２３ｂの左右の両端側が差し込まれて固定される差込み溝１１ｓが左右方向の外側に向かって窪むように形成されている。また、配置部１１ｒの下端は、被固定部２３ｂの左右両端側を下側から差込み溝１１ｓに差し込むことができるように開放されている。配置孔１１ｑは、配置孔１１ｍと同様に、上下方向でベース部材１１を貫通するように形成されている。また、配置孔１１ｑは、配置部１１ｒの上側面に繋がるように形成されている。
【００５８】
本形態では、レンズ駆動装置１の組立時に、接続板３１によって一部品化された接地用端子２１および給電用端子２２、２３が下側からベース部材１１に固定される。具体的には、ベース部材１１の下側から、差込み溝１１ｋ、１１ｐ、１１ｓに被固定部２１ｂ、２２ｂ、２３ｂの左右両端側が差し込まれて、接続板３１によって一部品化された接地用端子２１および給電用端子２２、２３が下側からベース部材１１に固定される。なお、接地用端子２１および給電用端子２２、２３は、接地用端子２１および給電用端子２２、２３がベース部材１１に固定された後に、接続板３１から切り離される。また、本形態のベース部材１１は、接地用端子２１を保持する端子保持部材である。
【００５９】
給電用端子２２、２３がベース部材１１に固定された状態では、図４に示すように、給電用端子２２、２３のバネ接続部２２ａ、２３ａの上端側は、配置孔１１ｍ、１１ｑを通過して、ベース部材１１の上端側に突出している。本形態では、ベース部材１１の上端側に突出しているバネ接続部２２ａ、２３ａに、板バネ６、７の固定体固定部６ｃ、７ｃが半田付けされて接続されている。
【００６０】
上述のように、ベース部材１１は、カバー部材１０の下端側に取り付けられている。具体的には、突出部１１ｄの外側面に接着剤が塗布された状態で、カバー部材１０の内周側に下側から突出部１１ｄが挿入されることで、ベース部材１１は、カバー部材１０の下端側に固定されている。すなわち、カバー部材１０とベース部材１１とは接着で固定されている。
【００６１】
カバー部材１０とベース部材１１とが固定された状態では、図５に示すように、前後方向において、カバー部材１０の切欠部１０ｆと、接地用端子２１の当接部２１ａとが重なっている。また、当接部２１ａの前面は、図６に示すように、カバー部材１０の筒部１０ｂの内側面に当接している。具体的には、凸部２１ｄの前面が筒部１０ｂの内側面に当接している。本形態では、切欠部１０ｆの端面において、カバー部材１０と当接部２１ａとが溶接されている。具体的には、切欠部１０ｆの上端側の端面と凸部２１ｄの前面との境界部分に向かってレーザを照射することで、カバー部材１０と当接部２１ａとが溶接されている。すなわち、切欠部１０ｆの上端側の端面において、レーザ溶接によってカバー部材１０と当接部２１ａとが溶接されている。
【００６２】
なお、本形態では、図５に示すように、前後方向から見たときに、当接部２１ａの面積は、切欠部１０ｆの面積よりも広くなっており、当接部２１ａの全体が切欠部１０ｆと重なっている。また、ベース部材１１の前端側に形成される突出部１１ｄの前端面とカバー部材１０の内周面との間には、わずかな隙間が形成されている。また、カバー部材１０の内周側に突出部１１ｄが挿入される前の状態では、当接部２１ａの後面と第１配置部１１ｈの前面との間にわずかな隙間が形成されており、カバー部材１０の内周側に突出部１１ｄが挿入されると、折曲げ部２１ｃが撓んで当接部２１ａが後ろ側にわずかに動く。
【００６３】
（本形態の主な効果）
以上説明したように、本形態では、カバー部材１０と接地用端子２１とが溶接されており、カバー部材１０と接地用端子２１とが電気的に接続されている。そのため、接地用端子２１を介してカバー部材１０を接地させることができる。したがって、本形態では、レンズ駆動装置１にシールド機能を持たせることが可能になり、レンズ駆動装置１の誤動作等を防止することが可能になる。また、ベース部材１１に固定される接地用端子２１とカバー部材１０とが溶接されているため、接着で固定されているカバー部材１０とベース部材１１との固定強度を高めることができる。したがって、本形態では、レンズ駆動装置１の耐衝撃性を高めることが可能になる。
【００６４】
本形態では、前後方向において、カバー部材１０の切欠部１０ｆと接地用端子２１の当接部２１ａとが重なっており、当接部２１ａの前面は、カバー部材１０の筒部１０ｂの内側面に当接している。また、本形態では、切欠部１０ｆの上端側の端面において、カバー部材１０と当接部２１ａとが溶接されている。そのため、カバー部材１０と接地用端子２１との溶接時にカバー部材１０および／または接地用端子２１が溶融して形成される溶融部を切欠部１０ｆの中に配置することが可能になる。したがって、カバー部材１０と接地用端子２１とを溶接しても、カバー部材１０の外形からの溶融部のはみ出し量を抑制することができる。その結果、本形態では、レンズ駆動装置１を小型化することが可能になる。
【００６５】
なお、切欠部１０ｆを利用して、カバー部材１０と当接部２１ａとを半田付けすることで、カバー部材１０と接地用端子２１とを電気的に接続することも可能である。しかしながら、カバー部材１０と当接部２１ａとを半田付けする場合には、一般的に、カバー部材１０の外形からの半田のはみ出し量がカバー部材１０の外形からの溶融部のはみ出し量よりも大きくなるため、レンズ駆動装置１を小型化することが困難になる。また、カバー部材１０と当接部２１ａとを半田付けする場合には、フラックス汚れが発生するため、このフラックス汚れを除去する必要が生じる。さらに、カバー部材１０と当接部２１ａとを半田付けする場合には、カバー部材１０の内部へフラックスが流れ込むおそれがある。カバー部材１０の内部にフラックスが流れ込むと、流れ込んだフラックスによって、スリーブ９の当接面９ａとベース部材１１の基準面１１ｂとが貼り付いてしまうおそれがある。また、カバー部材１０の内部へ流れ込んだフラックスを除去することは困難であるため、カバー部材１０の内部で固まったフラックスがレンズ駆動装置１の落下や衝撃等の影響でレンズ等に付着すると適切な画像を撮影することができなくなる。これに対して、本形態では、これらの問題を解決することが可能になる。
【００６６】
本形態では、当接部２１ａの前側面に凸部２１ｄが形成されている。また、凸部２１ｄは、左右方向の幅よりも上下方向の長さが長い細長形状に形成されている。そのため、当接部２１ａの前側面と切欠部１０ｆの端面との境界部分において、筒部１０ｂの内側面と当接部２１ａの前側面とを確実に当接させることができる。したがって、カバー部材１０と接地用端子２１とを適切に溶接することが可能になり、カバー部材１０と接地用端子２１との接合強度を高めることが可能になる。また、凸部２１ｄに照準を合わせてレーザを照射することができるため、レーザの照射位置を定めやすくなる。
【００６７】
本形態では、切欠部１０ｆの上端側の端面において、カバー部材１０と当接部２１ａとが溶接されている。そのため、図６等に示すように、筒部１０ｂの下端部の内側が、前後方向または左右方向の外側に広がる曲面状になっている場合であっても、当接部２１ａの前側面と切欠部１０ｆの端面との境界部分において、筒部１０ｂの内側面と当接部２１ａの前側面とを確実に当接させることができる。したがって、カバー部材１０と接地用端子２１とを適切に溶接することが可能になり、カバー部材１０と接地用端子２１との接合強度を高めることが可能になる。
【００６８】
本形態では、当接部２１ａが被固定部２１ｂよりも前側に飛び出すように、接地用端子２１がベース部材１１に固定されており、かつ、左右方向における折曲げ部２１ｃの幅は、左右方向における当接部２１ａの幅および被固定部２１ｂの幅よりも狭くなっている。また、カバー部材１０の内周側に突出部１１ｄが挿入される前の状態では、当接部２１ａの後面と第１配置部１１ｈの前面との間にわずかな隙間が形成されており、カバー部材１０の内周側に突出部１１ｄが挿入されると、折曲げ部２１ｃが撓んで当接部２１ａが後ろ側にわずかに動く。そのため、折曲げ部２１ｃの弾性変形を利用して、筒部１０ｂの内側面と当接部２１ａの前側面とをより確実に当接させることができる。したがって、カバー部材１０と接地用端子２１とをより適切に溶接することが可能になり、カバー部材１０と接地用端子２１との接合強度を高めることが可能になる。また、筒部１０ｂの内側面と当接部２１ａの前側面とが当接する場合であっても、折曲げ部２１ｃの弾性変形を利用して、筒部１０ｂの内側に当接部２１ａを比較的容易に配置することが可能になる。したがって、レンズ駆動装置１の組立時の作業性を高めることが可能になる。
【００６９】
本形態では、接地用端子２１は、ベース部材１１の下側から差込み溝１１ｋに差し込まれて固定される。そのため、上側に配置される当接部２１ａが被固定部２１ｂよりも前側に飛び出すように、接地用端子２１がベース部材１１に固定される場合であっても、ベース部材１１の上端側に、被固定部２１ｂを下側に向かって通過させるため孔や溝等を形成する必要がない。したがって、本形態では、固定体３の内部に塵埃が入るおそれを低減することが可能になる。
【００７０】
本形態では、前後方向から見たときに、当接部２１ａの面積は、切欠部１０ｆの面積よりも広くなっており、当接部２１ａの全体が切欠部１０ｆと重なっている。そのため、当接部２１ａの前側面と切欠部１０ｆの端面との境界部分において、筒部１０ｂの内側面と当接部２１ａの前側面とを確実に当接させることができる。したがって、カバー部材１０と接地用端子２１とを適切に溶接することが可能になり、カバー部材１０と接地用端子２１との接合強度を高めることが可能になる。また、溶接時に、レーザがベース部材１１に照射されるのを防止することが可能になる。
【００７１】
本形態では、レンズ駆動装置１の前側面に沿って、接地用端子２１および給電用端子２２、２３が配置されている。そのため、ベース部材１１に固定される前の接地用端子２１および給電用端子２２、２３を接続板３１によって一部品化することができる。したがって、ベース部材１１に固定される前の接地用端子２１および給電用端子２２、２３の取り扱いが容易になる。また、一部品化された接地用端子２１および給電用端子２２、２３を一度でベース部材１１に固定することが可能になるため、接地用端子２１および給電用端子２２、２３の固定作業を簡素化することが可能になる。
【００７２】
本形態では、カバー部材１０と接地用端子２１とは、レーザ溶接されている。そのため、カバー部材１０と接地用端子２１とを溶接する際に電極等を配置する必要がない。したがって、レンズ駆動装置１の組立時の最終段階であっても、カバー部材１０と接地用端子２１とを溶接することが可能になり、その結果、レンズ駆動装置１の組立工程の自由度を高めることが可能になる。
【００７３】
（他の実施の形態）
上述した形態は、本発明の好適な形態の一例ではあるが、これに限定されるものではなく本発明の要旨を変更しない範囲において種々変形実施が可能である。
【００７４】
上述した形態では、当接部２１ａに凸部２１ｄが形成されているが、当接部２１ａに凸部２１ｄが形成されていなくても良い。また、上述した形態では、凸部２１ｄは、左右方向の幅よりも上下方向の長さが長い細長形状に形成されているが、凸部２１ｄは、左右方向の幅と上下方向の長さとが略等しくなるように形成されても良いし、左右方向の幅が上下方向の長さよりも広い細長形状に形成されても良い。
【００７５】
上述した形態では、左右方向における折曲げ部２１ｃの幅は、左右方向における当接部２１ａの幅および被固定部２１ｂの幅よりも狭くなっているが、左右方向における折曲げ部２１ｃの幅は、左右方向における当接部２１ａの幅あるいは被固定部２１ｂの幅と略同じであっても良い。
【００７６】
上述した形態では、レーザ溶接によってカバー部材１０と当接部２１ａとが溶接されているが、スポット溶接等のレーザ溶接以外の溶接方法でカバー部材１０と当接部２１ａとが溶接されても良い。
【００７７】
上述した形態では、レンズ駆動装置１の前面側に、接地用端子２１および給電用端子２２、２３が配置されている。この他にもたとえば、レンズ駆動装置１の前面側に接地用端子２１が配置され、レンズ駆動装置１の後面側、左面側または右面側に給電用端子２２、２３が配置されても良い。
【００７８】
上述した形態では、可動体２に駆動用コイル１５が取り付けられ、固定体３に駆動用磁石１６、１７が取り付けられているが、可動体２に駆動用磁石１５が取り付けられ、固定体３に駆動用コイル１６、１７が取り付けられても良い。また、上述した形態では、レンズ駆動装置１の４つの側面のそれぞれに駆動用磁石１６、１７が配置されているが、レンズ駆動装置１の四隅に駆動用磁石が配置されても良い。また、上述した形態では、レンズ駆動装置１は、略四角柱状に形成されているが、レンズ駆動装置１は、略六角柱状等の多角柱状に形成されても良いし、円柱状あるいは楕円柱状等に形成されても良い。
【符号の説明】
【００７９】
１  レンズ駆動装置
２  可動体
３  固定体
４  駆動機構
１０  カバー部材
１０ｆ  切欠部
１１  ベース部材（端子保持部材）
１１ｋ  差込み溝
１５  駆動用コイル
１６、１７  駆動用磁石
２１  接地用端子（端子）
２１ａ  当接部
２１ｂ  被固定部
２１ｃ  折曲げ部
２１ｄ  凸部
２２、２３  給電用端子
Ｌ  光軸
Ｘ  第２方向
Ｙ  第１方向
Ｚ  光軸方向
Ｚ１  被写体側
Ｚ２  反被写体側
【図１】
0005385761.tif 000002
【図２】
0005385761.tif 000003
【図３】
0005385761.tif 000004
【図４】
0005385761.tif 000005
【図５】
0005385761.tif 000006
【図６】
0005385761.tif 000007
【図７】
0005385761.tif 000008
【図８】
0005385761.tif 000009
【図９】
0005385761.tif 000010
【図１０】
0005385761.tif 000011